(57)【要約】【課題】タッチパネルを液晶モジュールに装着する際に、タッチパネルのコーナー部が破損しないようにしたタッチパネル及びタッチパネル付液晶モジュールを提供すること。【解決手段】矩形状の液晶パネル３と、液晶パネルの外周囲を覆い各コーナー５１〜５４にアールが設けられた前面枠５と、矩形状の上下基板８ｘ、８ｙ間にスイッチ機構が設けられて貼り合わされた前面枠と実質的に等しいか僅かに小さなタッチパネル８と、を有し、液晶パネルを前面枠で覆い前面枠の上にタッチパネルが載置固定されたタッチパネル付液晶モジュール１において、タッチパネルは少なくとも一つのコーナー８１〜８４がカットされ、各辺８ａ〜８ｄのうち少なくとも２辺の端面が前面枠の対応する辺５ａ〜５ｄの端面に揃えられて位置決め固定されている。【選択図】図１
2007265113.tif 000002
【特許請求の範囲】
【請求項１】
矩形状の２枚の第１、第２基板間にスイッチ機構を設けて貼り合わせ、一方の基板の所
定箇所を押圧することにより前記スイッチ機構が作動されるタッチパネルにおいて、少な
くとも一つのコーナーがカットされていることを特徴とするタッチパネル。
【請求項２】
前記第１基板は第２基板に比べて大きく且つ肉厚であり、該第１基板の端部に前記スイ
ッチ機構に接続されたフレキシブル基板が結合され、さらに該第１基板の少なくとも一つ
のコーナーがカットされていることを特徴とする請求項１に記載のタッチパネル。
【請求項３】
矩形状の液晶パネルと、前記液晶パネルの外周囲を覆い各コーナーにアールが設けられ
た額縁状の枠体と、矩形状の第１、第２基板間にスイッチ機構が設けられて貼り合わされ
た前記枠体と実質的に等しいか僅かに小さなタッチパネルと、を有し、前記液晶パネルを
前記枠体で覆い該枠体の上に前記タッチパネルが載置固定されたタッチパネル付液晶モジ
ュールにおいて、
前記タッチパネルは、少なくとも一つのコーナーがカットされ、各辺のうち少なくとも
２辺の端面が前記枠体の対応する辺の端面に揃えられて位置決め固定されていることを特
徴とするタッチパネル付液晶モジュール。
【請求項４】
前記タッチパネルは、前記カットされたコーナー及び該コーナーに隣接する各辺の端面
と前記枠体の対応するコーナー及び各辺の端面とが揃えられて位置決め固定されているこ
とを特徴とする請求項３に記載のタッチパネル付液晶モジュール。
【請求項５】
前記タッチパネルの端部には前記スイッチ機構に接続されたフレキシブル基板が結合さ
れており、該フレキシブル基板が結合された端部近傍のコーナーがカットされていること
を特徴とする請求項３に記載のタッチパネル付液晶モジュール。
【請求項６】
前記タッチパネルの第１基板は第２基板に比べて大きく且つ肉厚であり、該第１基板の
端部に前記スイッチ機構に接続されたフレキシブル基板が結合され、さらに該第１基板の
少なくとも一つのコーナーがカットされていることを特徴とする請求項３又は５に記載の
タッチパネル付液晶モジュール。
【請求項７】
前記液晶パネルにはフレキシブル基板が接続されており、該フレキシブル基板は前記タ
ッチパネルのフレキシブル基板と同じ方向へ導出されていることを特徴とする請求項５又
は６に記載のタッチパネル付液晶モジュール。
【発明の詳細な説明】
【技術分野】
【０００１】
本発明は液晶ディスプレイ等の表示面に配設し、使用者が表示画面の所定箇所を指やペ
ン等で押圧することにより指示、情報入力等を行なうことができるタッチパネル及びこの
タッチパネルを付設した液晶モジュールに関するものである。
【背景技術】
【０００２】
液晶ディスプレイ等の表示画面上に配置し、使用者が表示画面の所定箇所を指やペン等
で押圧して指示、情報入力等を行なうことができるタッチパネルは、自動販売機、複写機
、ＡＴＭ、カーナビゲーション等の各種機器に広く使用されている。
【０００３】
この種のタッチパネルとしては抵抗膜方式、アナログ容量結合方式、超音波表面弾性波
方式、赤外線方式など様々な方式のものが知られているが、例えば、電極が設けられた透
明部材からなる下基板と、同様の電極が設けられた可撓性を有する透明部材からなる上基
板とを有し、これらの上下基板が所定の隙間をあけて貼り合わされた構成を有し、可撓性
を有する上基板の所定箇所が押圧されることにより、上基板の電極が下基板の電極に接触
してスイッチがオンされるようになっている（下記特許文献１参照）。
【０００４】
このようなタッチパネルは、液晶パネルに装着されて使用されるが、液晶パネルに装着
する際に、液晶パネルの表示画面に正確に位置合わせをして固定しなければならないこと
から、これまで様々な固定手段が採用されている。この種の固定手段としては、両面接着
テープ或いは接着剤等を使用する貼着手段が多く使用されているが、専用の部品、例えば
一体化ケースを使用したものも開発されている（下記特許文献２参照）。
【０００５】
下記特許文献２に記載された液晶表示入力装置は、一体化ケースを使用してタッチパネ
ルと液晶パネルとを一体化するもので、この一体化ケースは、ケース本体に液晶パネルの
表示画面と略同じ大きさの開口部が形成され、この開口部は、その辺に板バネの先端を斜
め方向上に折り曲げられて足元がケース本体にネジ止めされた固定用着脱治具が設けられ
、ケース本体の裏面側に液晶パネルが接着剤で固定され、一方、表面側にタッチパネルが
固定用着脱治具で位置決め固定されるようになっている。この一体化ケースを使用すると
、タッチパネルを一体化ケースにワンタッチで装着することができる利点がある。
【特許文献１】特開２００４−２２７１９２号公報（図５、図６、段落〔０００３〕〜〔００１０〕）
【特許文献２】特開平８−２１１３５９号公報（特許請求の範囲、図１）
【発明の開示】
【発明が解決しようとする課題】
【０００６】
しかしながら、上記特許文献２に記載されている液晶表示入力装置のように、一体化ケ
ース及び着脱治具を使用すると、特殊な部品を必要とするのでコスト高を招くとともに、
装着作業が面倒になる。
【０００７】
近年、液晶パネルは、有効表示エリアが拡大される一方でパネルを支持する枠体フレー
ムが狭額縁化されている。この狭額縁化及び表示エリアの拡大に合わせてタッチパネルも
大型化し、液晶パネルと略同じ大きさになってきている。このような傾向から、部品点数
を少なくしてタッチパネルを液晶パネルに直に装着する方法が採用されている。例えば、
液晶パネルを収容するケース等を利用してタッチパネルの位置合わせをしつつタッチパネ
ルを液晶パネルに直に取り付けることが行なわれている。
【０００８】
図４は公知技術の液晶パネル前面枠とタッチパネルとの結合前の斜視図、図５は図４の
液晶パネル前面枠とタッチパネルとを結合したもので、図５（ａ）は平面図、図５（ｂ）
は図５（ａ）のＢ部分の拡大平面図である。
【０００９】
タッチパネル８及び液晶パネル（図示省略）は、図４に示すように、いずれも矩形状を
なし、この液晶パネルの外周囲を覆う前面枠５も矩形状になっている。すなわち、タッチ
パネル８は、対向する長辺８ａ、８ｃ及び短辺８ｂ、８ｄを有し、各辺の接合箇所にそれ
ぞれ直角なコーナー８１〜８４が形成され、一方の短辺８ｂにフレキシブル基板ＦＰＣ３
が結合されている。また、前面枠５は金属材で形成されるが、タッチパネル８と同様に対
向する長辺５ａ、５ｃ及び短辺５ｂ、５ｄを有し各コーナー５１〜５４は絞り加工により
Ｒ（アール）形状となっている。
【００１０】
このタッチパネル８は、前面枠５上に載置され、接着剤等で固定される。このとき、タ
ッチパネル８の前面枠５への位置決めは、一つのコーナー、例えばコーナー５１を基準と
して、このコーナー５１とタッチパネル８の対応するコーナー８１を合わせるとともに、
前面枠５の長辺５ａ及び短辺５ｂをタッチパネル８の対応する長辺８ａ及び短辺８ｂに合
わせることによって行なわれる。この位置決めにより、前面枠５とタッチパネル８とは、
各コーナー５１と８１及び５２と８２が重なる。この重なる箇所をみると、図５（ｂ）に
示すように、前面枠５のコーナー５２がＲ形状になっているので、タッチパネル８のコー
ナー８２が前面枠５のコーナー５２より外へはみ出てしまう。同様にコーナー８１もコー
ナー５１よりはみ出している。このようにタッチパネルのコーナーがはみ出すと、液晶パ
ネルにタッチパネルを固定する工程、或いはタッチパネルを装着した液晶パネルを機器等
に組み込む工程において、タッチパネルのコーナーが障害物等に衝突して破損し製品の不
良率が高くなる恐れがある。
【００１１】
そこで、本発明はこのような従来技術の課題を解決するためになされたものであって、
本発明の目的は、タッチパネルのコーナー部が破損しないようにしたタッチパネルを提供
することにある。
【００１２】
また、本発明の他の目的は、タッチパネルと表示パネルとの位置合わせを正確にできる
とともにタッチパネルのコーナーが破損しないようにしたタッチパネル付液晶モジュール
を提供することにある。
【課題を解決するための手段】
【００１３】
上記目的を達成するために、請求項１に記載のタッチパネルは、矩形状の２枚の第１、
第２基板間にスイッチ機構を設けて貼り合わせ、一方の基板の所定箇所を押圧することに
より前記スイッチ機構が作動されるタッチパネルにおいて、少なくとも一つのコーナーが
カットされていることを特徴とする。
【００１４】
また、請求項２に記載の発明は、請求項１に記載のタッチパネルにおいて、前記第１基
板は第２基板に比べて大きく且つ肉厚であり、該第１基板の端部に前記スイッチ機構に接
続されたフレキシブル基板が結合され、さらに該第１基板の少なくとも一つのコーナーが
カットされていることを特徴とする。
【００１５】
請求項３に記載のタッチパネル付液晶モジュールは、矩形状の液晶パネルと、前記液晶
パネルの外周囲を覆い各コーナーにアールが設けられた額縁状の枠体と、矩形状の第１、
第２基板間にスイッチ機構が設けられて貼り合わされた前記枠体と実質的に等しいか僅か
に小さなタッチパネルと、を有し、前記液晶パネルを前記枠体で覆い該枠体の上に前記タ
ッチパネルが載置固定されたタッチパネル付液晶モジュールにおいて、
前記タッチパネルは、少なくとも一つのコーナーがカットされ、各辺のうち少なくとも
２辺の端面が前記枠体の対応する辺の端面に揃えられて位置決め固定されていることを特
徴とする。
【００１６】
また、請求項４に記載の発明は、請求項３に記載のタッチパネル付液晶モジュールにお
いて、前記タッチパネルは、前記カットされたコーナー及び該コーナーに隣接する各辺の
端面と前記枠体の対応するコーナー及び各辺の端面とが揃えられて位置決め固定されてい
ることを特徴とする。
【００１７】
また、請求項５に記載の発明は、請求項３に記載のタッチパネル付液晶モジュールにお
いて、前記タッチパネルの端部には前記スイッチ機構に接続されたフレキシブル基板が結
合されており、該フレキシブル基板が結合された端部近傍のコーナーがカットされている
ことを特徴とする。
【００１８】
また、請求項６に記載の発明は、請求項３又は５に記載のタッチパネル付液晶モジュー
ルにおいて、前記タッチパネルの第１基板は第２基板に比べて大きく且つ肉厚であり、該
第１基板の端部に前記スイッチ機構に接続されたフレキシブル基板が結合され、さらに該
第１基板の少なくとも一つのコーナーがカットされていることを特徴とする。
【００１９】
また、請求項７に記載の発明は、請求項５又は６に記載のタッチパネル付液晶モジュー
ルにおいて、前記液晶パネルにはフレキシブル基板が接続されており、該フレキシブル基
板は前記タッチパネルのフレキシブル基板と同じ方向へ導出されていることを特徴とする
。
【発明の効果】
【００２０】
本発明は、上記構成を備えることにより、以下の効果を奏する。すなわち、請求項１の
発明によれば、矩形状タッチパネルは、四方のコーナーのうち少なくとも一つのコーナー
がカットされるので、カットされたコーナーに障害物が当たってもこの部分からの亀裂、
欠損等の破損が発生することがなくなる。また、液晶パネルに装着時に、液晶パネルを覆
う枠体の隅部が絞り加工によりＲ（アール）が設けられていても、タッチパネルのコーナ
ー部分がこのＲ部分からはみ出すことがなくなるので障害物に接触することがなくなり、
亀裂、欠損等の破損を防止できる。
【００２１】
請求項２の発明によれば、タッチパネルを構成する基板の一方、例えば第１基板のサイ
ズを第２基板より大きくすることにより、両基板を貼り合せたときに第１基板にはみ出し
部分ができるので、このはみ出し部分を利用することによりフレキシブル基板の結合が容
易になる。また、第１基板を肉厚にすることで、コーナーカット時に亀裂、欠損等の破損
がし難くなる。なお、第２基板はユーザの指あるいはペン等により押圧される側に位置す
るため、通常可撓性を維持するために肉厚が薄いものが使用されるので、肉厚が薄いとコ
ーナーカット時に亀裂、欠損等の破損が起り易いが、第１基板を肉厚にし、この第１基板
のコーナーをカットすることにより、第２基板をカットする必要がなく破損等を未然に防
ぐことができる。
【００２２】
請求項３の発明によれば、液晶パネルを覆う枠体にタッチパネルを載置固定する際に、
枠体のコーナー部が例えば絞り加工等によりＲ（アール）が設けられていても、このＲ部
分からタッチパネルのコーナーがはみ出すことがなくなり、この部分からの亀裂、欠損等
の破損を防止できる。また、タッチパネルの位置決めは、タッチパネルの少なくとも２辺
と枠体の対応する辺を揃えるだけでできるので、位置合わせが正確かつ簡単にできる。
【００２３】
請求項４の発明によれば、タッチパネルの位置決めは、カットされたコーナー及び該コ
ーナーに隣接する２辺の端面と枠体の対応するコーナー及び各辺の端面とで行なわれるの
で、位置決めが正確になるとともに枠体の端部からタッチパネルのコーナーがはみ出るこ
とがない。
【００２４】
請求項５の発明によれば、フレキシブル基板が接続される近傍のコーナーがカットされ
ているので、コーナー破損によるフレキシブル基板の接続不良の恐れがなくなる。
【００２５】
請求項６の発明によれば、タッチパネル付液晶モジュールにおいて、上記請求項２の発
明の効果と同様の効果を奏することができる。
【００２６】
請求項７の発明によれば、同一部分にタッチパネルのフレキシブル基板と液晶モジュー
ルのフレキシブル基板を配設したので、タッチパネル付液晶モジュールを小型化できる。
【発明を実施するための最良の形態】
【００２７】
以下、図面を参照して本発明の最良の実施形態を説明する。但し、以下に示す実施形態
は、本発明の技術思想を具体化するためのタッチパネル及びタッチパネル付液晶モジュー
ルを例示するものであって、本発明をこのタッチパネル及びタッチパネル付液晶モジュー
ルに特定することを意図するものではなく、特許請求の範囲に含まれるその他の実施形態
のものも等しく適応し得るものである。
【実施例１】
【００２８】
図１は本発明の１実施例に係るタッチパネル付液晶モジュールの分解斜視図、図２は図
１の液晶パネル前面枠とタッチパネルとの結合前の斜視図、図３は図２の液晶パネル前面
枠とタッチパネルとを結合したもので、図３（ａ）は平面図、図３（ｂ）は図３（ａ）の
Ａ部分の拡大平面図、図３（ｃ）は図３（ａ）のＢ部分の拡大平面図である。なお、これ
らの図面には、理解を容易にするために、図４及び図５に示す従来技術の構成と同一の部
分には同一符号を付している。
【００２９】
タッチパネル付液晶モジュール１は、図１に示すように、液晶モジュール２と、この液
晶モジュール２の表示面に装着されるタッチパネル８とで構成されている。
【００３０】
液晶モジュール２は、図１に示すように、矩形状の液晶パネル３と、この液晶パネルが
載置されて固定する支持枠４と、この支持枠に係止されて支持枠に載置された液晶パネル
３を固定する前面枠５と、この支持枠４に収容された液晶パネル３の裏面を覆う裏蓋ケー
ス６とを有している。
【００３１】
液晶パネル３は、所定長さの長辺及び短辺を有する矩形状の２枚の基板３ａ、３ｂを間
に枠状のシール部材（図示省略）を介在させて貼り合わせ、この貼り合せた２枚の基板３
ａ、３ｂとシール部材との間に形成された空間に液晶（図示省略）が封入された構成を有
している。この液晶パネル３は、長辺及び短辺の各一辺にフレキシブル基板（ＦＰＣ：Fl
exible Printed Circuit）ＦＰＣ１、ＦＰＣ２が装着され、一方のフレキシブル基板ＦＰ
Ｃ１には、制御回路基板ＰＢが直接接続され、他方の基板ＦＰＣ２には、フレキシブルケ
ーブルＦＣが接続されている。なお、液晶パネル３は、図示しないがフレキシブル基板Ｆ
ＰＣ１、ＦＰＣ２が装着された辺に多数本の配線が引回されてこれらの引回し線がそれぞ
れのフレキシブル基板に接続された構造となっている。また、これらの制御回路基板ＰＢ
及びフレキシブルケーブルＦＣは、フレキシブル基板ＦＰＣ１、ＦＰＣ２を介して折り曲
げ自在となっており、組み立て時には、支持枠４と裏蓋ケース６との間に収納され、そこ
でフレキシブルケーブルＦＣは制御回路基板ＰＢに接続される。
【００３２】
支持枠４は、周囲が対向する長辺及び短辺の枠片４ａ〜４ｄで囲まれ、その中に液晶パ
ネル３の外形より若干小さい大きさの窓口４０が形成された額縁状の枠体からなり、合成
樹脂材で形成されている。各長辺及び短辺の枠片４ａ〜４ｄは、所定幅の側壁を有し、こ
れらの側壁が上方へ突出して、これらの突出部に囲まれるように液晶パネルが載置され固
定されるようになっている。また、各枠片４ａ〜４ｄの外側壁には、前面枠５及び裏蓋ケ
ース６の側壁と係合される係止部が設けられている。なお、この支持枠の内部には図示し
ていないが、光源、導光板、プリズムシート等で構成されるバックライトユニットが収納
される。
【００３３】
前面枠５は、周囲が対向する長辺及び短辺の枠片５ａ〜５ｄで囲まれ、その中に液晶パ
ネルの表示面を露出させる窓口５０が形成された額縁状の枠体からなり、例えば金属材で
形成されている。額縁状の前面枠５の４隅のコーナー５１〜５４には、絞り加工によりＲ
（アール）、すなわち丸みがつけられている。なお、コーナー５３は図１ではタッチパネ
ル８の下に隠れている。各コーナー５１〜５４にＲを設けるのは枠体自体の機械的な強度
を向上させるためである。
【００３４】
裏蓋ケース６は、支持枠４と略同じ形状の矩形状の底板６ａと、この底板６ａの外周縁
から折曲された背低の側板６ｂ〜６ｅとを有し、上方が開口した浅底の箱型ケースからな
り、板金加工により形成されている。
【００３５】
液晶モジュール２の組み立ては、支持枠４の上に液晶パネル３を載置して、この液晶パ
ネル３に接続された各フレキシブル基板ＦＰＣ１、ＦＰＣ２を支持枠４の裏面側へ折り曲
げて、これらの基板に連結された制御回路基板ＰＢとフレキシブルケーブルＦＣを液晶パ
ネル３と裏蓋ケース６との間に挿入する。なお、この折り曲げの後、フレキシブル基板Ｆ
ＰＣ２は保護シートＳにより覆われる。これによりフレキシブル基板ＦＰＣ２の損傷を防
ぐことができ、接続不良等の障害を防止することができる。裏蓋ケース６は、側板６ｂ〜
６ｅに設けられた係止穴等を支持枠４の枠片４ａ〜４ｄに設けられた係止部に係合させる
ことにより支持枠４に固定される。次いで、前面枠５を液晶パネル３の外周囲を覆うよう
に、前面枠５の枠片５ａ〜５ｄに設けられた係止穴等を支持枠４の枠片４ａ〜４ｄに設け
られた係止部に係合させることにより、支持枠４に固定する。これにより、液晶モジュー
ル２の組み立てが終了する。
【００３６】
組み立てられた液晶モジュール２の表示面には、タッチパネル８が装着されるので、以
下に、このタッチパネル８の構造及び装着方法を説明する。
【００３７】
タッチパネル８は、図１及び図２に示すように、全体形状が前面枠５と略同じ又は若干
長手方向の長さを短長にした矩形状の透明部材からなる上下基板８ｘ、８ｙを有し、これ
らの上下基板８ｘ、８ｙ間にスイッチ機構が配設されて貼り合わされた構成を有している
。スイッチ機構は、公知の何れの方式のものであっても良く、図示しないが例えば上記特
許文献２に記載されたような機構、すなわち各基板に電極及び配線等が配設されたものと
なっている。
【００３８】
上下基板８ｘ、８ｙのうち、下基板８ｘは、上基板８ｙよりも外形が若干大きく、かつ
上基板８ｙよりも肉厚に形成され、一方、上基板８ｙは肉薄に形成されて可撓性を有して
いる。下基板８ｘには、上下基板８ｘ、８ｙに設けられた電極（図示省略）に接続された
フレキシブル基板ＦＰＣ３が短辺８ｂに結合されている。下基板８ｘを上基板８ｙより大
きくすると、上下基板を貼り合せたときに張り出し部ができるので、この張り出し部分に
フレキシブル基板を接続できるようになるので、このフレキシブル基板の結合が容易にな
る。
【００３９】
これらの上下基板８ｘ、８ｙは、所定の隙間をあけて貼り合わされる。貼り合わされた
タッチパネル８は、液晶パネル３を覆った前面枠５上に載置され、接着剤等の固定手段に
より固定される。ところが、前面枠５の各コーナー５１〜５４がＲ形状になっているので
、タッチパネル８を前面枠に載置・固定すると、タッチパネル８のコーナー８１〜８４が
前面枠５のコーナーから外へはみ出してしまうので、このはみ出しをなくするために、タ
ッチパネル８のコーナーをカットする。カットするコーナーは、前面枠５の位置合わせの
基準となるコーナーに対応するコーナー、例えばコーナー５１を基準とする場合には、こ
のコーナーに対応するコーナー８１、及びこのコーナーに最も近接したコーナー８２、或
いはいずれか一方のコーナーに選定される。尚、図１〜図３では、コーナー８１、８２が
カットされている。このカットは、前面枠５上に積層されたとき、コーナー５１のＲ部分
を覆うことなくこの部分が露出されるように斜めに切除、すなわち面取りされる。この切
除によって、斜めの切除面１０１、１０２が形成される。また、下基板８ｘは上基板８ｙ
より大きくなっているので、各コーナー８１、８２のカットは、下基板８ｘのみをカット
することにより形成される。下基板８ｘは上基板８ｙより肉厚になっているので、コーナ
ーカット時に亀裂、欠損等の破損がし難いため、好適にはこのように下基板８ｘのみをカ
ットする。
【００４０】
以下、前面枠５の各コーナー５１〜５４のうち、一つのコーナー５１を基準としたタッ
チパネル８の位置合わせについて説明する。
タッチパネル８は、図２に示すように、前面枠５と略同じ矩形状をなし、対向する長辺
８ａ、８ｃと短辺８ｂ、８ｄと、４つのコーナー８１〜８４とを有している。
このタッチパネル８は、コーナー８１を前面枠５の基準となるコーナー５１に合わせる
とともにこのコーナー５１に隣接する長辺８ａ及び短辺８ｂを前面枠の長辺５ａ辺及び短
辺５ｂに重ねることにより、各辺の端面が揃えられる。このように、ひとつのコーナーを
基準コーナーとし、基準コーナーに隣接する２辺を用いてそれぞれ位置合わせすることに
より、タッチパネル８を液晶モジュール２の前面枠５に対するＸ−Ｙ方向（縦−横方向）
における正確な位置合わせを行なうことが可能となる。なお、位置合わせは２辺である必
要はなく、ひとつの基準コーナーとひとつの辺をそれぞれ揃えることにより行なうように
してもよい。
【００４１】
タッチパネル８のコーナー８１が前面枠５の基準コーナー５１に合わされ、同時に各長
辺８ａ及び短辺８ｂが前面枠の長辺５ａ辺及び短辺５ｂに重ねられて各辺の端面が合わさ
れると、タッチパネル８のコーナー８１、８２がカットされているので、図３（ｂ）に示
すように、コーナー８２が前面枠５のコーナー５２から外へはみ出すことがない。なお、
コーナー８２もコーナー５２から外へはみ出すことがない。また、他の残りのコーナー８
３、８４は、タッチパネル８を前面枠５と略同じ大きさにしたときはカットされるが、小
さくしたときは、図３（ｃ）に示すように、前面枠のコーナー５４がコーナー８４よりも
外側に露出するのでカットする必要はない。また、タッチパネルの長辺及び短辺の長さを
前面枠５の長辺及び短辺の長さより僅かに短くした場合には、コーナー８４がはみ出すこ
ともないため、カットする必要はない。
【００４２】
この構成により、タッチパネル８を液晶モジュール２に装着した際、液晶パネル３を覆
う前面枠５の隅角部に絞り加工によりＲが設けられていても、このＲ部分からタッチパネ
ル８のコーナー部分がはみ出すことがなくなり亀裂、欠損等の破損を防止できる。また、
タッチパネル８を液晶モジュール２に装着する際、液晶パネル３の各フレキシブル基板Ｆ
ＰＣ１、ＦＰＣ２とタッチパネル８のフレキシブル基板ＦＰＣ３とを同一方向へ導出させ
ることにより、配線のためのスペースを複数のフレキシブルケーブルＦＣの配線スペース
として有効利用することができ、タッチパネル付液晶モジュールを小型化することができ
る。
【図面の簡単な説明】
【００４３】
【図１】図１は本発明の１実施例に係るタッチパネル付液晶モジュールの分解斜視図である。
【図２】図２は図１の液晶パネル前面枠とタッチパネルとの結合前の斜視図である。
【図３】図３は図２の液晶パネル前面枠とタッチパネルとを結合したもので、図３（ａ）は平面図、図３（ｂ）は図３（ａ）のＡ部分の拡大平面図、図３（ｃ）は図３（ａ）のＢ部分の拡大平面図である。
【図４】図４は公知技術の液晶パネル前面枠とタッチパネルとの結合前の斜視図である。
【図５】図５は図４の液晶パネル前面枠とタッチパネルとを結合したもので、図５（ａ）は平面図、図５（ｂ）は図５（ａ）のＢ部分の拡大平面図である。
【符号の説明】
【００４４】
１          タッチパネル付液晶モジュール
２          液晶モジュール
３          液晶パネル
４          支持枠
５          前面枠（枠体）
５１〜５４  （前面枠の）コーナー
６          裏蓋ケース
８          タッチパネル
８１〜８４  （タッチパネルの）コーナー
８ｘ        下基板
８ｙ        上基板
１０１〜１０２  切除面
ＦＰＣ１〜ＦＰＣ３  フレキシブル基板
【図１】
2007265113.tif 000003
【図２】
2007265113.tif 000004
【図３】
2007265113.tif 000005
【図４】
2007265113.tif 000006
【図５】
2007265113.tif 000007